【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
トリガ信号に基づき所定のデータセット同期監視方法を実行し、実行されている前記データセット同期監視方法の返信結果に基づきデータセットの同期が必要か否かを特定するステップ（Ｓ１０）と；
同期が必要なデータセットの標識情報を取得するステップ（Ｓ１２）と；
所定の条件の下、前記標識情報に対応する前記データセットに対するデータ同期要求を送信するステップ（Ｓ１４）と；
前記データ同期要求を受信し、前記データ同期要求に基づき対応する同期対象データを取得し、前記同期対象データをウェブページへ返信するステップ（Ｓ１６）と；
前記同期対象データを用いて、対応する前記データセットをバックフィルするステップ（Ｓ１８）と；を備える、
ウェブページのデータを処理する方法。
【請求項２】
前記所定の条件は、最初の標識情報が取得されてから所定の期間が経過していること及び標識情報の数量が所定の数量に達していることのうち少なくとも一方を含む、
請求項１に記載の方法。
【請求項３】
前記トリガ信号は、指定されたトリガ信号及び周期的なトリガ信号のうち少なくとも一方を含む、
請求項１に記載の方法。
【請求項４】
前記データ同期要求は、所定の処理サーバのアドレス情報を含み、前記アドレス情報は、前記データ同期要求を前記処理サーバに送信するために用いられ、
前記データ同期要求を受信すると、同期対象データセットの標識情報、前記データセットにおいて同期が必要なデータコンテンツ、及びウェブページにおける対応するアドレス情報を備える、対応する構文解析パラメータを取得するために、前記所定の処理サーバが前記データ同期要求を構文解析する、
請求項１に記載の方法。
【請求項５】
トリガ信号を受信するように構成される受信モジュール（１１）と；
前記トリガ信号に基づき所定のデータセット同期監視方法を実行し、実行されている前記データセット同期監視方法の返信結果に基づき、データセットの同期が必要か否かを特定するように構成されるステータス監視モジュール（１３）と；
同期が必要なデータセットの標識情報を取得するように構成される標識付与モジュール（１５）と；
所定の条件の下、前記標識情報に対応する前記データセットに対するデータ同期要求を送信するように構成される要求送信モジュール（１７）と；
前記データ同期要求を受信し、前記データ同期要求に基づき対応する同期対象データを取得し、前記同期対象データをウェブページへ返信するように構成される要求処理モジュール（１９）と；
前記同期対象データを用いて、対応する前記データセットをバックフィルするように構成されるバックフィルモジュール（２１）と；を備える、
ウェブページのデータを処理する装置。
【請求項６】
前記所定の条件は、最初の標識情報が取得されてから所定の期間が経過していること及び標識情報の数量が所定の数量に達していることのうちの少なくとも一方を含む、
請求項５に記載の装置。
【請求項７】
前記トリガ信号は、指定されたトリガ信号及び周期的なトリガ信号のうちの一方を含む、
請求項５に記載の装置。
【手続補正２】
【補正対象書類名】明細書
【補正対象項目名】００７２
【補正方法】変更
【補正の内容】
【００７２】
本願では、本願の複数の実施が説明されており、当業者であれば、本願のこれらの実施が互いに組み合わせ可能であることが理解できるであろう。また、当業者にとっては、本願の主旨から逸脱することなく、本願の多くの改変及び変形が可能であることは明らかであろう。特許請求の範囲は、それらの、本願の主旨から逸脱することなくなされる改変及び変形をも包含することを意図する。
以下、本発明の実施の態様の例を列挙する。
［第１の局面］
トリガ信号に基づき所定のデータセット同期監視方法を実行し、実行されている前記データセット同期監視方法の返信結果に基づきデータセットの同期が必要か否かを特定するステップと；
同期が必要なデータセットの標識情報を取得するステップと；
所定の条件の下、前記標識情報に対応する前記データセットに対するデータ同期要求を送信するステップと；
前記データ同期要求を受信し、前記データ同期要求に基づき対応する同期対象データを取得し、前記同期対象データをウェブページへ返信するステップと；
前記同期対象データを用いて、対応する前記データセットをバックフィルするステップと；を備える、
ウェブページデータ処理方法。
［第２の局面］
前記所定の条件は、最初の標識情報が取得されてから所定の期間が経過していること及び標識情報の数量が所定の数量に達していることのうち少なくとも一方を含む、
第１の局面に記載のウェブページデータ処理方法。
［第３の局面］
前記トリガ信号は、指定されたトリガ信号及び周期的なトリガ信号のうち少なくとも一方を含む、
第１の局面に記載のウェブページデータ処理方法。
［第４の局面］
トリガ信号に基づき所定のデータセット同期監視方法を実行し、実行されている前記データセット同期監視方法の返信結果に基づき、データセットの同期が必要か否かを特定するステップと；
同期が必要なデータセットの標識情報を取得するステップと；
所定の条件の下、前記標識情報に対応する前記データセットに対するデータ同期要求を送信するステップと；を備える、
ウェブページデータ処理方法。
［第５の局面］
前記所定の条件は、最初の標識情報が取得されてから所定の期間が経過していること及び標識情報の数量が所定の数量に達していることのうちの少なくとも一方を含む、
第４の局面に記載のウェブページデータ処理方法。
［第６の局面］
前記トリガ信号は、指定されたトリガ信号及び周期的なトリガ信号のうちの少なくとも一方を含む、
第４の局面に記載のウェブページデータ処理方法。
［第７の局面］
トリガ信号を受信するように構成される受信モジュールと；
前記トリガ信号に基づき所定のデータセット同期監視方法を実行し、実行されている前記データセット同期監視方法の返信結果に基づき、データセットの同期が必要か否かを特定するように構成されるステータス監視モジュールと；
同期が必要なデータセットの標識情報を取得するように構成される標識付与モジュールと；
所定の条件の下、前記標識情報に対応する前記データセットに対するデータ同期要求を送信するように構成される要求送信モジュールと；を備える、
ウェブページデータ処理装置。
［第８の局面］
前記所定の条件は、最初の標識情報が取得されてから所定の期間が経過していること及び標識情報の数量が所定の数量に達していることのうちの少なくとも一方を含む、
第７の局面に記載のウェブページデータ処理装置。
［第９の局面］
前記トリガ信号は、指定されたトリガ信号及び周期的なトリガ信号のうちの一方を含む、
第７の局面に記載のウェブページデータ処理装置。
［第１０の局面］
トリガ信号を受信するように構成される受信モジュールと；
前記トリガ信号に基づき所定のデータセット同期監視方法を実行し、実行されている前記データセット同期監視方法の返信結果に基づき、データセットの同期が必要か否かを特定するように構成されるステータス監視モジュールと；
同期が必要なデータセットの標識情報を取得するように構成される標識付与モジュールと；
所定の条件の下、前記標識情報に対応する前記データセットに対するデータ同期要求を送信するように構成される要求送信モジュールと；
前記データ同期要求を受信し、前記データ同期要求に基づき対応する同期対象データを取得し、前記同期対象データをウェブページへ返信するように構成される要求処理モジュールと；
前記同期対象データを用いて、対応する前記データセットをバックフィルするように構成されるバックフィルモジュールと；を備える、
ウェブページデータ処理システム。